(57)【特許請求の範囲】
【請求項１】
（ａ）エタノール［以下、（ａ）成分という］を５質量％以上２３質量％以下、（ｂ）ポリエーテル変性シリコーン（ポリエーテルアミド変性オルガノポリシロキサンを除く）［以下、（ｂ）成分という］、（ｃ）界面活性剤［以下、（ｃ）成分という］、及び水を含有する、硬質表面用洗浄剤組成物であって
（ｃ）成分としてアルキルポリグリコシドを含有する、
硬質表面用液体洗浄剤組成物。
【請求項２】
（ｂ）成分が、下記一般式（ｂ１）で表されるポリエーテル変性シリコーンである、請求項１に記載の硬質表面用洗浄剤組成物。
【化１】
0006777446.tif 000009
〔式中、Ｒ１は同一でも異なってもよく、それぞれ炭素数１以上４以下のアルキル基を示す。ｐは０以上１０００以下の数を示し、ｑは１以上１０００以下の数を示す。Ｘ１及びＸ２は同一でも異なってもよく、それぞれヒドロキシ基、炭素数１以上４以下のアルキル基又はアルコキシ基を示す。Ｒ２は水素原子、又は炭素数１以上４以下のアルキル基もしくは炭素数２以上４以下のアシル基を示す。ａは１以上４以下の数、ｂは１以上１００以下の数、ｃは０以上５０以下の数を示す。／は、ｐ、ｑが付された各構成単位及びｂ、ｃが付された構成単位がランダム又はブロックであってもよいことを示す。〕
【請求項３】
アルキルポリグリコシドが、下記一般式（ｃ２）で表される化合物である、請求項１又は２に記載の硬質表面用洗浄剤組成物。
Ｒ２１（ＯＲ２２）ｘＧｙ （ｃ２）
〔式中、Ｒ２１は、直鎖又は分岐鎖の炭素数６以上１８以下のアルキル基、アルケニル基又はアルキルフェニル基、Ｒ２２は炭素数２以上４以下のアルキレン基を示し、Ｇは炭素数５又は６の還元糖に由来する残基を示す。ｘは平均付加モル数を示し、０以上５以下の数である。ｙはその平均値が１以上５以下となる数を示す。〕
【請求項４】
（ｂ）成分と（ｃ）成分の質量比（ｂ）／（ｃ）が０．００１以上１０以下である、請求項１〜３のいずれか１項に記載の硬質表面用洗浄剤組成物。
【請求項５】
（ａ）成分と（ｂ）成分の質量比（ａ）／（ｂ）が２０以上２００００以下である、請求項１〜４のいずれか１項に記載の硬質表面用洗浄剤組成物。
【請求項６】
（ｂ）成分を０．０００８質量％以上３質量％以下含有する、請求項１〜５のいずれか１項に記載の硬質表面用洗浄剤組成物。
【請求項７】
（ｃ）成分を０．００５質量％以上５質量％以下含有する、請求項１〜６のいずれか１項に記載の硬質表面用洗浄剤組成物。
【請求項８】
拭き取り洗浄用である、請求項１〜７のいずれか１項に記載の硬質表面用洗浄剤組成物。
【請求項９】
請求項１〜８のいずれか１項に記載の硬質表面用洗浄剤組成物をスプレー容器に充填してなる硬質表面用洗浄剤物品。
【請求項１０】
請求項１〜８のいずれか１項に記載の硬質表面用洗浄剤組成物を床に付着させた後、該組成物を拭き取る、床の洗浄方法。
【請求項１１】
硬質表面用洗浄剤組成物をスプレーで散布して床に付着させる、請求項１０に記載の床の洗浄方法。
【請求項１２】
請求項１〜８のいずれか１項に記載の硬質表面用洗浄剤組成物を用いる、セラミックタイルの床の拭き筋低減方法。
【発明の詳細な説明】
【技術分野】
【０００１】
本発明は、硬質表面用洗浄剤組成物、硬質表面用洗浄剤物品、床の洗浄方法、及びセラミックタイルの床の拭き筋低減方法に関する。
【背景技術】
【０００２】
我々を取り巻く住環境設備には、セラミックス、プラスチック、金属等を材料とした各種硬質表面が存在し、これら硬質表面は生活場面に於いて様々な汚れが付着する環境に晒されている。なかでも、床面として用いられる硬質表面は、住環境設備の最下部に位置するうえに日常的に人が接する表面でもあるために、多くの汚れが残留して蓄積し易く、更には洗浄除去し難い性質を有するものとなっている。
【０００３】
床面のような硬質表面に吸着していない除去し易い汚れに対しては、掃除機による吸引や、不織布を用いたワイパー類で簡便に掃除することも可能ではある。しかしながら、油分を含んだ残留している汚れ、更には床面に残るニオイ成分に対しては、モップを用いた水拭きを行うことや、洗浄剤と併用した拭き掃除を行うことが余儀なくされている。これら床面に存在する残留し易く、除去困難な汚れに対する家事行動は、生活者の大きな負担となっている。
【０００４】
特許文献１には、硬表面の汚れを除去する場合に、労力をできるだけ少なく洗浄作業できる硬表面洗浄剤組成物が開示されている。
【先行技術文献】
【特許文献】
【０００５】
【特許文献１】特開２０００−１６０１９９号公報
【発明の概要】
【発明が解決しようとする課題】
【０００６】
特許文献１に記載の硬表面洗浄剤組成物は、拭き易さについて検討されているものの、床等の硬質表面を洗浄した際の拭き筋の残りについては、まだ十分な性能とは言えない。
【０００７】
本発明は、良好な洗浄力を有し、洗浄後に拭き筋を残さない仕上がり性（以下、単に仕上り性ともいう）に優れる、硬質表面用洗浄剤組成物、及び該洗浄剤組成物を用いた床の洗浄方法を提供する。
【０００８】
本発明は、（ａ）エタノール［以下、（ａ）成分という］を５質量％以上２３質量％以下、（ｂ）ポリエーテル変性シリコーン［以下、（ｂ）成分という］、（ｃ）界面活性剤［以下、（ｃ）成分という］、及び水を含有する、硬質表面用洗浄剤組成物に関する。
【０００９】
また、本発明は、上記本発明の硬質表面用洗浄剤組成物をスプレー容器に充填してなる硬質表面用洗浄剤物品に関する。
【００１０】
また、本発明は、上記本発明の硬質表面用洗浄剤組成物を床に付着させた後、該組成物を拭き取る床の洗浄方法に関する。
【００１１】
また、本発明は、上記本発明の硬質表面用洗浄剤組成物を用いる、セラミックタイルの床の拭き筋低減方法に関する。
【発明の効果】
【００１２】
本発明によれば、良好な洗浄力を有し、洗浄後に拭き筋を残さない仕上がり性に優れる、硬質表面用洗浄剤組成物、及び該洗浄剤組成物を用いた床の洗浄方法を提供することができる。
【発明を実施するための形態】
【００１３】
本発明者らは、界面活性剤に加えて、ポリエーテル変性シリコーンとエタノールを特定量使用することにより、硬質表面の洗浄において、洗浄力を満足しつつ、拭き筋を残さない等、美観に優れた仕上がりを達成できることを見出した。
本発明の硬質表面用洗浄剤組成物では、ポリエーテル変性シリコーンがエタノールを含む組成物中で均一に溶解又は分散しているため、該ポリエーテル変性シリコーンの濡れ広がり性と組成物の速乾性が向上し、その結果、硬質表面に対する良好な洗浄力が得られると共に、洗浄後の拭き筋が残らないものと推定される。
【００１４】
＜（ａ）成分＞
本発明の（ａ）成分は、エタノールである。
【００１５】
＜（ｂ）成分＞
本発明の（ｂ）成分は、ポリエーテル変性シリコーンである。
（ｂ）成分としては、下記一般式（ｂ１）で表される化合物が好適である。
【００１６】
【化１】
0006777446.tif 000002
【００１７】
〔式中、Ｒ１は同一でも異なってもよく、それぞれ炭素数１以上４以下のアルキル基を示す。ｐは０以上１０００以下の数を示し、ｑは１以上１０００以下の数を示す。Ｘ１及びＸ２は同一でも異なってもよく、それぞれヒドロキシ基、炭素数１以上４以下のアルキル基又はアルコキシ基を示す。Ｒ２は水素原子、又は炭素数１以上４以下のアルキル基もしくは炭素数２以上４以下のアシル基を示す。ａは１以上４以下の数、ｂは１以上１００以下の数、ｃは０以上５０以下の数を示す。／は、ｐ、ｑが付された各構成単位及びｂ、ｃが付された構成単位がランダム又はブロックであってもよいことを示す。〕
【００１８】
上記一般式（ｂ１）において、Ｒ１は、仕上り性の観点から、好ましくはメチル基である。
Ｘ１及びＸ２は、仕上り性の観点から、好ましくは炭素数１以上３以下のアルキル基であり、より好ましくはメチル基である。
Ｒ２は、仕上り性の観点から、好ましくは水素原子、炭素数１以上４以下のアルキル基又は炭素数２以上３以下のアシル基であり、より好ましくは水素原子である。
【００１９】
上記一般式（ｂ１）において、ｐは、仕上り性の観点から、０以上、好ましくは１以上、そして、１０００以下、好ましくは１００以下、より好ましくは１０以下の数である。ｑは、仕上り性の観点から、１以上、そして、１０００以下、好ましくは１００以下、より好ましくは２０以下の数である。
上記一般式（ｂ１）において、ａは、仕上り性の観点から、好ましくは１以上３以下の数である。
上記一般式（ｂ１）において、ｂは、仕上り性の観点から、１以上、好ましくは２以上、より好ましくは３以上、そして、１００以下、好ましくは５０以下、より好ましくは３０以下、更に好ましくは１５以下、より更に好ましくは８以下の数である。
上記一般式（ｂ１）において、ｃは、仕上り性の観点から、０以上、そして、５０以下、好ましくは３０以下、より好ましくは１０以下、更に好ましくは３以下の数であり、０であってもよい。
【００２０】
（ｂ１）で表される化合物のＨＬＢ値は、洗浄力と仕上がり性の観点から、好ましくは４以上、より好ましくは６以上、更に好ましくは８以上、より更に好ましくは１０．５以上であり、そして、同様の観点から、好ましくは２０以下、より好ましくは１８以下、更に好ましくは１６以下、より更に好ましくは１５以下、より更に好ましくは１４．５以下である。
【００２１】
（ｂ1）で表される化合物のＨＬＢ値は、下記式により求められる。
ＨＬＢ値＝（ｂ１）で表される化合物中のポリオキシエチレンの分子量×２０／（ｂ１）で表される化合物の分子量
尚、ａ、ｂ、ｃ、ｐ、ｑ、Ｒ１、Ｒ２、Ｘ１及びＸ２は、ＮＭＲ等で求めることができる。
【００２２】
（ｂ）成分の動粘度（ｍｍ２／ｓ）は、洗浄力と仕上がり性の観点から、好ましくは１以上、より好ましくは５以上、更に好ましくは１０以上であり、そして、同様の観点から、好ましくは１５００以下、より好ましくは１０００以下、更に好ましくは５００以下、より更に好ましくは１００以下である。（ｂ）成分の動粘度は、２５℃においてウベローデ型粘度計（柴田科学株式会社製）により測定した値である。
【００２３】
＜（ｃ）成分＞
本発明の（ｃ）成分は、界面活性剤である。（ｃ）成分は洗浄力、仕上がり性、配合安定性の観点から用いられる。なお、（ｃ）成分からは、（ｂ）成分のポリエーテル変性シリコーンは除かれる。
【００２４】
（ｃ）成分としては、非イオン界面活性剤、陰イオン界面活性剤、両性界面活性剤、及び陽イオン界面活性剤から選ばれる１種以上の界面活性剤が挙げられ、好ましくは非イオン界面活性剤、陰イオン界面活性剤、及び両性界面活性剤から選ばれる１種以上の界面活性剤が挙げられる。
本発明の硬質表面用洗浄剤組成物は、（ｃ）成分として、仕上り性と洗浄性の観点から、好ましくは非イオン界面活性剤、陰イオン界面活性剤、及び両性界面活性剤から選ばれる１種以上の界面活性剤を含有し、より好ましくは非イオン界面活性剤から選ばれる１種以上を含有し、更に好ましくはグリコシド型非イオン界面活性剤を含有する。
【００２５】
非イオン界面活性剤としては、（１）ポリオキシアルキレンモノアルキル又はアルケニルエーテル、（２）グリコシド型非イオン界面活性剤（アルキルグリコシド等）、（３）脂肪酸アルカノールアミド、（４）ソルビタン系非イオン界面活性剤、（５）アルキルモノグリセリルエーテル、（６）脂肪酸グリセリンモノエステル、（７）蔗糖脂肪酸エステル、及び（８）アミンオキサイドから選ばれる１種以上の非イオン界面活性剤が挙げられる。
非イオン界面活性剤としては、仕上り性の観点から、（１）ポリオキシアルキレンモノアルキル又はアルケニルエーテル、（２）グリコシド型非イオン界面活性剤（アルキルグリコシド等）、及び（８）アミンオキサイドから選ばれる１種以上の非イオン界面活性剤が好ましく、（１）ポリオキシアルキレンモノアルキル又はアルケニルエーテル、及び（２）グリコシド型非イオン界面活性剤（アルキルグリコシド等）から選ばれる１種以上の非イオン界面活性剤がより好ましく、（２）グリコシド型非イオン界面活性剤（アルキルグリコシド等）が更に好ましい。
【００２６】
上記の非イオン界面活性剤を更に具体的に示す。
（１）ポリオキシアルキレンモノアルキル又はアルケニルエーテル
（１）の非イオン界面活性剤において、アルキル基又はアルケニル基の炭素数は、洗浄力と仕上り性の観点から、好ましくは６以上、より好ましくは８以上、更に好ましくは１０以上、より更に好ましくは１２以上であり、そして、同様の観点から、好ましくは２２以下、より好ましくは１８以下、更に好ましくは１６以下、より更に好ましくは１４以下である。
【００２７】
（１）の非イオン界面活性剤において、アルキレンオキサイドの平均付加モル数は、洗浄力と仕上り性の観点から、好ましくは０超、より好ましくは１以上、更に好ましくは３以上、より更に好ましくは５以上、そして、同様の観点から、好ましくは５０以下、より好ましくは３０以下、更に好ましくは２０以下、より更に好ましくは１５以下である。
【００２８】
アルキレンオキサイドは、洗浄力と仕上がり性の観点から、好ましくはエチレンオキサイド、プロピレンオキサイド、及びブチレンオキサイドから選ばれる１種以上であり、より好ましくはエチレンオキサイド、及びプロピレンオキサイドから選ばれる１種以上である。
【００２９】
（１）の非イオン界面活性剤の好ましい例として、下記一般式（ｃ１）で表される非イオン界面活性剤を挙げることができる。
Ｒ１１Ｏ［（Ｃ２Ｈ４Ｏ）ｌ／（Ｃ３Ｈ６Ｏ）ｍ］Ｈ      （ｃ１）
〔式中、Ｒ１１は炭素数６以上２２以下の炭化水素基を示す。ｌ、ｍは平均付加モル数を示し、ｌは０以上３０以下の数を示し、ｍは０以上３０以下の数を示し、ｌとｍが同時に０になることはない。”／”はエチレンオキシ基（Ｃ２Ｈ４Ｏ）及びプロピレンオキシ基（Ｃ３Ｈ６Ｏ）が、順序に関係なく、ランダム又はブロックのいずれに付加したものであってもよいことを示す。〕
【００３０】
上記一般式（ｃ１）の中のＲ１１の炭素数は、洗浄力と仕上り性の観点から、好ましくは８以上、より好ましくは１０以上、更に好ましくは１２以上であり、そして、同様の観点から、好ましくは１８以下、より好ましくは１７以下、更に好ましくは１６以下、より更に好ましくは１４以下である。
【００３１】
Ｒ１１は、洗浄力と仕上り性の観点から、好ましくはアルキル基又はアルケニル基であり、より好ましくはアルキル基である。
【００３２】
アルキル基としては、具体的には、各種オクチル基（２−エチルヘキシル基を含む）、各種ノニル基、各種デシル基、各種ウンデシル基、各種ドデシル基（ラウリル基）、各種トリデシル基、各種テトラデシル基、各種ペンタデシル基、各種ヘキサデシル基、各種ヘプタデシル基、各種オクタデシル基を挙げることができる。
アルケニル基としては、各種オクタニル基、各種ノナニル基、各種デカニル基、各種ウンデカニル基、各種ドデカニル基、各種トリデカニル基、各種テトラデカニル基、各種ペンタデカニル基、各種ヘキサデカニル基、各種ヘプタデカニル基、各種オクタデカニル基（例えば、オレイル基、リノール基）を挙げることができる。なお、「各種」とは、ｎ−、ｓｅｃ−、ｔｅｒｔ−、ｉｓｏ−を含む各種異性体を意味する。
【００３３】
上記一般式（ｃ１）中のｌは、洗浄力と仕上り性の観点から、好ましくは０超、より好ましくは１以上、更に好ましくは３以上、より更に好ましくは５以上、そして、同様の観点から、好ましくは５０以下、より好ましくは３０以下、更に好ましくは２０以下、より更に好ましくは１５以下である。
上記一般式（ｃ１）中のｍは、洗浄力と仕上り性の観点から、好ましくは０以上、そして、好ましくは１０以下、より好ましくは５以下である。
【００３４】
ポリオキシアルキレンモノアルキル又はアルケニルエーテル、更に一般式（ｃ１）で表される非イオン界面活性剤は、ＨＬＢ値が、洗浄力と仕上り性と配合安定性の観点から、好ましくは５以上、より好ましくは７以上、さらに好ましくは１０以上であり、そして、同様の観点から、好ましくは２０以下、より好ましくは１８以下、更に好ましくは１６以下である。
ここで、ポリオキシアルキレンモノアルキル又はアルケニルエーテル、更に一般式（ｃ１）で表される非イオン界面活性剤についてのＨＬＢ値は、下記に示すグリフィンの式で定義される。
ＨＬＢ値＝２０×Ｍｗ／Ｍ
（式中、Ｍは非イオン界面活性剤の分子量であり、Ｍｗは該非イオン界面活性剤の親水性部分の分子量である。）
【００３５】
（２）グリコシド型非イオン界面活性剤
（２）の非イオン界面活性剤は、下記の一般式（ｃ２）で表される非イオン界面活性剤が好ましい。
Ｒ２１（ＯＲ２２）ｘＧｙ        （ｃ２）
〔式中、Ｒ２１は、直鎖又は分岐鎖の炭素数６以上１８以下のアルキル基、アルケニル基又はアルキルフェニル基、好ましくはアルキル基を示し、Ｒ２２は炭素数２以上４以下のアルキレン基を示し、Ｇは炭素数５又は６の還元糖に由来する残基を示す。ｘは平均付加モル数を示し、０以上５以下の数である。ｙはその平均値が１以上５以下となる数を示す。〕
【００３６】
一般式（ｃ２）中、Ｒ２１は、洗浄力、配合安定性及び仕上がり性の観点から、好ましくは炭素数８以上、より好ましくは炭素数１０以上、そして、好ましくは炭素数１６以下、より好ましくは１４以下の直鎖又は分岐鎖のアルキル基である。
【００３７】
一般式（ｃ２）中、ｘは、洗浄力、配合安定性及び仕上がり性の観点から、好ましくは０以上２以下であり、より好ましくは０である。ｙは、洗浄力、配合安定性及び仕上がり性の観点から、好ましくは１．１以上、そして、好ましくは１．５以下、より好ましくは１．４以下である。尚、ｙはプロトンＮＭＲ法による測定値である。
【００３８】
一般式（ｃ２）中、Ｇは、それらの入手容易性及びコストの点から、グルコース及びフルクトースから選ばれる１種以上の単糖類に由来する残基が挙げられる。また、Ｇは、マルトース及びスクロースから選ばれる１種以上の多糖類に由来する残基が挙げられる。Ｇは、グルコース及びフルクトースから選ばれる１種以上の単糖類に由来する残基が好ましく、グルコースに由来する残基がより好ましい。
【００３９】
（３）脂肪酸アルカノールアミド
（３）の非イオン性界面活性剤は、下記の一般式（ｃ３）で表される非イオン界面活性剤が好ましい。
【００４０】
【化２】
0006777446.tif 000003
【００４１】
〔式中、Ｒ３１は炭素数８以上２２以下、好ましくは１０以上１８以下のアルキル基又はアルケニル基を示し、Ｒ３２、Ｒ３３は同一又は異なってもよく、それぞれ水素原子又はメチル基を示し、ｓは１以上３以下の数を示し、ｔは０以上３以下の数を示す。〕
【００４２】
（４）ソルビタン系非イオン界面活性剤
（４）の非イオン界面活性剤は、下記一般式（ｃ４−Ｉ）で表される非イオン界面活性剤及び下記一般式（ｃ４−II）で表される非イオン界面活性剤から選ばれる１種以上の非イオン界面活性剤が挙げられる。
【００４３】
【化３】
0006777446.tif 000004
0006777446.tif 000005
【００４４】
［式中、Ｒ４１は、炭素数２以上４以下のアルキレン基を示し、Ｒ４２は、それぞれ独立に炭素数１以上１４以下のアルキル基又はアルケニル基を示し、該アルキル基及びアルケニル基は直鎖状、分岐鎖状及び環状のいずれでもよく、ｆ、ｇ、ｈは平均付加モル数を示し、ｆ、ｇ、ｈの総和は３以上５０以下の数である。］
【００４５】
上記一般式（ｃ４−Ｉ）又は（ｃ４−II）において、Ｒ４１は、炭素数２以上４以下のアルキレン基であり、好ましくはエチレン基又はプロピレン基であり、より好ましくはエチレン基である。
【００４６】
また上記一般式（ｃ４−Ｉ）又は（ｃ４−II）において、ｆ、ｇ及びｈは、洗浄力、配合安定性及び仕上がり性の観点から、それぞれ独立して、好ましくは０以上であり、そして、好ましくは５０以下であり、より好ましくは３０以下である。ｆ、ｇ、ｈの総和は、洗浄力、配合安定性及び仕上がり性の観点から、好ましくは３以上、より好ましくは４以上であり、そして、好ましくは５０以下であり、より好ましくは３０以下である。
【００４７】
（５）アルキルモノグリセリルエーテル
（５）の非イオン界面活性剤は、好ましくは炭素数６以上２２以下、より好ましくは炭素数１０以上１４以下の直鎖又は分岐鎖のアルキル基を有するアルキルモノグリセリルエーテルである。
【００４８】
（６）脂肪酸グリセリンモノエステル
（６）の非イオン界面活性剤は、脂肪酸部分が炭素数８以上２２以下、好ましくは炭素数１０以上１４以下の脂肪酸である脂肪酸グリセリンモノエステルが挙げられる。好ましくは、脂肪酸部分が直鎖又は分岐鎖のアルキル基を有する炭素数８以上２２以下、好ましくは炭素数１０以上１４以下の脂肪酸である脂肪酸グリセリンモノエステルである。
【００４９】
（７）蔗糖脂肪酸エステル
（７）の非イオン界面活性剤は、脂肪酸部分が炭素数８以上１８以下、好ましくは炭素数１０以上１４以下の脂肪酸である蔗糖脂肪酸エステルが挙げられる。好ましくは、脂肪酸部分が直鎖又は分岐鎖のアルキル基を有する炭素数８以上１８以下、より好ましくは炭素数１０以上１４以下の脂肪酸である蔗糖脂肪酸エステルである。
【００５０】
（８）アミンオキサイド
（８）の非イオン界面活性剤として、例えば炭素数６以上２４以下の直鎖又は分岐鎖のアルキル基又はアルケニル基を有するアルキル又はアルケニルアミンオキサイドを挙げることができる。好ましいアミンオキサイドとしては、下記の一般式（ｃ８）で表されるアミンオキサイドを挙げることができる。
【００５１】
【化４】
0006777446.tif 000006
【００５２】
〔式中、Ｒ８１は炭素数６以上２４以下の炭化水素基、好ましくは炭素数６以上２４以下の直鎖又は分岐鎖のアルキル基又はアルケニル基を示し、Ｒ８２、Ｒ８３は同一又は異なってもよく、それぞれ独立に炭素数１以上３以下の炭化水素基を示し、Ｄは、−ＣＯＯ−、−ＣＯＮＨ−、−Ｏ−から選ばれる基を示し、Ｅは炭素数１以上、５以下の２価の炭化水素基を示し、ｉ、ｊはｉ＝０且つｊ＝０の数であるか、又はｉ＝１且つｊ＝１の数である。〕
【００５３】
陰イオン界面活性剤としては、ポリオキシアルキレン基を有する陰イオン界面活性剤、例えばポリオキシアルキレンアルキルエーテル硫酸塩、ポリオキシアルキレンアルケニルエーテル硫酸塩、ポリオキシアルキレンアルキルアリールエーテル硫酸塩、ポリオキシアルキレンアルケニルアリールエーテル硫酸塩、ポリオキシアルキレンアルキルエーテルカルボン酸塩、及びポリオキシアルキレンアルケニルエーテルカルボン酸塩から選ばれる１種以上が挙げられ、好ましくはポリオキシアルキレンアルキルエーテル硫酸塩、ポリオキシアルキレンアルケニルエーテル硫酸塩、及びポリオキシアルキレンアルキルエーテルカルボン酸塩から選ばれる１種以上であり、より好ましくはポリオキシアルキレンアルキルエーテル硫酸塩である。
上記アルキレン基としては、エチレン基又はプロピレン基が好ましく、より好ましくはエチレン基であり、アルキル基、アルケニル基としては、好ましくは炭素数１２以上１４以下が好ましい。
また、陰イオン界面活性剤としては、アルキル硫酸塩が挙げられる。アルキル硫酸塩のアルキル基は、炭素数１０以上１４以下が好ましい。
陰イオン界面活性剤の塩は、ナトリウム塩、カリウム塩などのアルカリ金属塩、アンモニウム塩、有機アンモニウム塩などが挙げられ、アルカリ金属塩が好ましい。
【００５４】
両性界面活性剤としては、アルキルアミドプロピル−Ｎ，Ｎ−ジメチル酢酸ベタイン、アルキルアミドプロピル−Ｎ，Ｎ−ジメチル−２−ヒドロキシプロピルスルホベタイン、及びアルキルアミドプロピル−Ｎ，Ｎ−ジメチル−プロピルスルホベタイン等から選ばれる１種以上が挙げられ、好ましくはラウリン酸アミドプロピル−Ｎ，Ｎ−ジメチル酢酸ベタイン、ヒドロキシラウリルスルホベタイン、及びラウリン酸アミドプロピル−Ｎ，Ｎ−ジメチル−２−ヒドロキシプロピルベタイン等から選ばれる１種以上であり、より好ましくはヒドロキシラウリルスルホベタインである。
【００５５】
陽イオン界面活性剤としては、炭素数８以上１６以下のアルキル基を１つ有するモノアルキルトリメチルアンモニウム塩、炭素数８以上１４以下のアルキル基を２つ有するジアルキルジメチルアンモニウム塩、及び炭素数８以上１４下のアルキル基を１つ有するアルキルジメチルベンジルアンモニウム塩から選ばれる１種以上が挙げられ、好ましくは炭素数８以上１４以下のアルキル基を１つ有するアルキルジメチルベンジルアンモニウム塩であり、より好ましくは炭素数１２のアルキル基を１つ有するアルキルジメチルベンジルアンモニウム塩である。
【００５６】
＜水＞
本発明の硬質表面用洗浄剤組成物は、水を含有する液体洗浄剤組成物である。上記（ａ）〜（ｃ）成分は、水に溶解、分散、乳化させた形態のいずれであってもよいが、溶解していることが洗浄力と仕上り性の観点から好ましい。水は金属成分を除去したイオン交換水や蒸留水、あるいは次亜塩素酸を０．５ｐｐｍ以上１０ｐｐｍ以下程度溶解させた次亜塩素酸滅菌水などを使用することができる。水は組成物の残部であり、全体を１００質量％とする量で含有される。
【００５７】
＜硬質表面用洗浄剤組成物の組成等＞
本発明の硬質表面用洗浄剤組成物は、（ａ）成分を、仕上がり性の観点から、５質量％以上、好ましくは６質量％以上、より好ましくは８質量％以上、更に好ましくは１０質量％以上、そして、同様の観点から、２３質量％以下、好ましくは２０質量％以下、より好ましくは１８質量％以下、更に好ましくは１５質量％以下含有する。
【００５８】
本発明の硬質表面用洗浄剤組成物は、（ｂ）成分を、仕上がり性の観点から、好ましくは０．０００８質量％以上、より好ましくは０．００１質量％以上、更に好ましくは０．００３質量％以上、そして、洗浄力と仕上がり性の観点から、好ましくは３質量％以下、より好ましくは０．８質量％以下、更に好ましくは０．５質量％以下、より更に好ましくは０．１質量％以下、より更に好ましくは０．０８質量％以下、より更に好ましくは０．０５質量％以下、より更に好ましくは０．０３質量％以下含有する。
【００５９】
本発明の硬質表面用洗浄剤組成物は、（ｃ）成分を、洗浄力と仕上がり性の観点から、好ましくは０．００５質量％以上、より好ましくは０．００８質量％以上、更に好ましくは０．０１質量％以上、より更に好ましくは０．０５質量％以上、そして、仕上がり性の観点から、好ましくは５質量％以下、より好ましくは３質量％以下、更に好ましくは１質量％以下、より更に好ましくは０．８質量％以下、より更に好ましくは０．５質量％以下含有する。
【００６０】
本発明の硬質表面用洗浄剤組成物は、（ａ）成分と（ｂ）成分の質量比（ａ）／（ｂ）が、仕上がり性の観点から、好ましくは２０以上、より好ましくは５０以上、更に好ましくは１００以上、より更に好ましくは３００以上、より更に好ましくは５００以上、より更に好ましくは８００以上であり、そして、同様の観点から、好ましくは２００００以下、より好ましくは１５０００以下、更に好ましくは１００００以下、より更に好ましくは６０００以下である。この質量比は、（ｂ）成分の含有量に対する（ａ）成分の含有量の質量比である。
【００６１】
本発明の硬質表面用洗浄剤組成物は、（ｂ）成分と（ｃ）成分の質量比（ｂ）／（ｃ）が、仕上がり性の観点から、好ましくは０．００１以上、より好ましくは０．００３以上、更に好ましくは０．００５以上、より更に好ましくは０．０１以上、より更に好ましくは０．０３以上であり、そして、洗浄力と仕上がり性の観点から、好ましくは１０以下、より好ましくは５以下、更に好ましくは１以下、より更に好ましくは０．５以下である。
また（ｃ）成分が非イオン界面活性剤である場合、（ｂ）成分と非イオン界面活性剤の質量比（ｂ）／（非イオン界面活性剤）が、仕上がり性の観点から、好ましくは０．００１以上、より好ましくは０．００３以上、更に好ましくは０．００５以上、より更に好ましくは０．０１以上、より更に好ましくは０．０３以上であり、そして、洗浄力と仕上がり性の観点から、好ましくは１０以下、より好ましくは５以下、更に好ましくは１以下、より更に好ましくは０．５以下である。
また、本発明の硬質表面用洗浄剤組成物が（ｃ）成分としてグリコシド型非イオン界面活性剤を含有する場合、（ｂ）成分とグリコシド型非イオン界面活性剤の質量比（ｂ）／（グリコシド型非イオン界面活性剤）が、仕上がり性の観点から、好ましくは０．００１以上、より好ましくは０．００３以上、更に好ましくは０．００５以上、より更に好ましくは０．０１以上、より更に好ましくは０．０３以上であり、そして、洗浄力と仕上がり性の観点から、好ましくは１０以下、より好ましくは５以下、更に好ましくは１以下、より更に好ましくは０．５以下である。
【００６２】
本発明の硬質表面用洗浄剤組成物は、溶解性、仕上り性及び洗浄力の観点から、水を、好ましくは７５質量％以上、より好ましくは８０質量％以上、更に好ましくは８２質量％以上、より更に好ましくは８４質量％以上、そして、好ましくは９４．８質量％以下、より好ましくは９４質量％以下、更に好ましくは９２質量％以下、より更に好ましくは９０質量％以下含有する。
【００６３】
本発明の硬質表面用洗浄剤組成物には、その他の成分として、硬質表面用洗浄剤に一般に配合される、分散剤、キレート剤、増粘剤、香料、色素、溶剤、防腐剤等を配合することが出来る。
【００６４】
本発明の硬質表面用洗浄剤組成物は、原液のｐＨが２０℃で、仕上り性の観点や金属製品損傷性の観点から、好ましくは５以上、より好ましくは６以上、更に好ましくは６．５以上、そして、硬質表面上に存在するワックスへの影響を最小にする観点から、好ましくは８以下、より好ましくは７．５以下である。このようなｐＨへの調整は硫酸、塩酸、リン酸等の無機酸、リンゴ酸、クエン酸、酢酸等の有機酸、水酸化ナトリウム、水酸化カリウム、水酸化マグネシウム、炭酸ナトリウム、炭酸カリウム等の無機アルカリ剤、モノエタノールアミン、２−アミノ−２−メチル−１−プロパノール等の有機アルカリ剤を用いて行われる。本発明では、洗浄剤組成物に緩衝能を持たせることが洗浄力持続性の点から好ましく、無機アルカリ剤を含有することが好適である。無機アルカリ剤の含有量は、本発明の洗浄剤組成物中に好ましくは０．００１質量％以上、より好ましくは０．００５質量％以上、そして、好ましくは０．０２質量％以下、より好ましくは０．０１質量％以下である。
【００６５】
本発明の硬質表面用洗浄剤組成物は、拭き取り洗浄用として好適である。すなわち、本発明の硬質表面用洗浄剤組成物は、居間、部屋、台所、浴室、トイレといった居住まわり等の硬質表面（各種物品、床、壁、天井等）等の洗浄に好適に用いられる。この場合、本発明の組成物は、泡立ち、ヌルつき、跡残りが生じず、拭き筋が少なく仕上がり性に優れており、また、乾燥も早いため、別途水拭き（二度拭き）する必要がない。これらの効果から、硬質表面は、床が好ましい。
硬質表面は、セラミックス、プラスチック、木、石、及び金属から選ばれる１種以上の材料から構成される硬質表面が挙げられる。
本発明により、本発明の硬質表面用洗浄剤組成物を硬質表面に適用した後、拭き取り洗浄を行う硬質表面の洗浄方法が提供される。
更に、本発明により、本発明の硬質表面用洗浄剤組成物を床に付着させた後、該組成物を拭き取る、床の洗浄方法が提供される。床は、セラミックス、プラスチック、木、石、及び金属から選ばれる１種以上の材料から構成される床が挙げられる。拭き筋の低減効果がより顕著に実感できる観点から、床は、セラミックタイルの床が好ましい。本発明により、本発明の硬質表面用洗浄剤組成物を用いる、セラミックタイルの床の拭き筋低減方法が提供される。この方法は、洗浄剤組成物を用いてセラミックタイルの床を洗浄した後、前記洗浄剤組成物を拭き取ることで生じる拭き筋を低減する方法であって、前記洗浄剤組成物として、本発明の硬質表面用洗浄剤組成物を用いる、セラミックタイルの床の、洗浄後の拭き筋低減方法である。
拭き取り洗浄は、布巾、雑巾、不織布、モップ、紙等を用いて、硬質表面に適用した組成物を硬質表面から除去することが好ましい。
【００６６】
本発明の硬質表面用洗浄剤組成物は、希釈せずに、そのままスプレー等により硬質表面に適用することができる。また、本発明の硬質表面用洗浄剤組成物は、水で好ましくは１０倍以上、更に好ましくは５０倍以上、そして、好ましくは２００倍以下、更に好ましくは１５０倍以下に希釈した洗浄液として硬質表面に適用されることもできる。そして、該洗浄液を硬質表面に適用した後は、拭き取り洗浄を行うことが好ましい。また、前記洗浄液を硬質表面に適用した後は、濯ぎを行わずに前記硬質表面を乾燥させることができる。
【００６７】
床の洗浄を行う場合は、床面積１ｍ２あたり、好ましくは０．５ｇ以上、より好ましくは１ｇ以上、そして、好ましくは５０ｇ以下、より好ましくは２０ｇ以下、本発明の硬質表面用洗浄剤組成物を付着させる。該組成物を噴霧して床に付着させることが好ましい。その後、モップ、布、紙で、床に付着した前記組成物を拭き取る。前記組成物を床に付着させた後、好ましくは６０秒以下、より好ましくは３０秒以下、放置した後、前記組成物を拭き取る。前記組成物が湿潤状態にある状態で拭き取ることが好ましい。
【００６８】
また、本発明の硬質表面用洗浄剤組成物又はこれを前記のように希釈した洗浄液（以下、単に洗浄液という場合もある）は、基体に含浸させて清掃用物品として使用することもできる。本発明の硬質表面用洗浄剤組成物又は洗浄液を基体に含浸させた清掃用物品は、清掃作業の作業性の観点から好ましい。
【００６９】
硬質表面用洗浄剤組成物又は洗浄液を含浸させた清掃用物品に用いられる基体としては、可撓性を有し、硬質表面用洗浄剤組成物又は洗浄液が含浸可能なものであり、使用時に十分な強度を有し、くず等の発生の無いものが用いられる。特に、無荷重下において後述の量の硬質表面用洗浄剤組成物又は洗浄液を含浸し得る基体を用いることが好ましい。
【００７０】
そのような基体としては、繊維状材料から構成される繊維構造体、例えば、各種紙、不織布、織布若しくは編布が挙げられる。これらの繊維構造体を構成する繊維状材料としては、例えば、セルロース系繊維、変性セルロース系繊維、合成繊維及びこれらの二種以上の混合物等が挙げられる。
【００７１】
また、樹脂中に気泡を分散させて得られる多孔質構造体（例えば、スポンジ状構造体）も上記基体として使用できる。
【００７２】
また、本発明の硬質表面用洗浄剤組成物又は洗浄液を含浸させた清掃用物品を用いて硬質表面を拭く洗浄方法は、清掃作業の作業性の観点から、硬質表面の軽い洗浄に好ましい。硬質表面用洗浄剤組成物又は洗浄液を含浸させた清掃用物品は、基体に予め硬質表面用洗浄剤組成物又は洗浄液を含浸させてなるもの、あるいは乾燥した基体に硬質表面用洗浄剤組成物又は洗浄液をスプレー等により使用直前に含浸させてなるもの、の何れでもよい。また、スプレーされた清掃用物品を用いて被清掃面を清掃してもよい。硬質表面用洗浄剤組成物又は洗浄液を含浸させた清掃用物品は、モップ状の掃除具に装着されて用いられてもよいし、直接手で持って拭き掃除に用いられてもよい。床の洗浄にはモップを用いることが好ましい。
【００７３】
予め硬質表面用洗浄剤組成物又は洗浄液が含浸されている場合、硬質表面用洗浄剤組成物又は洗浄液の含浸率は清掃性の観点から、基体質量〔即ち、未含浸状態（乾燥状態）の基体の質量基準〕あたり、１００質量％以上であることが好ましく、１５０質量％以上であることがより好ましく、そして、１０００質量％以下であることが好ましく、５００質量％以下であることがより好ましく、４００質量％以下であることが更に好ましい。含浸率が１００質量％以上であれば、シミ汚れや土ボコリに対する十分な清掃性能が得られる。１０００質量％以下であれば、被清掃面への洗浄剤組成物の放出量が適正となり被清掃面に汚れや土ボコリが残留せず、また、木質系材料など種々の材料からなる清掃面に影響なく使用できる。清掃性の一層の向上の点から、基体がシートである場合、硬質表面用洗浄剤組成物又は洗浄液の含浸前の坪量は、一定面積の洗浄に必要な洗浄剤の保持性とシートの操作性やコストとの観点から、４０ｇ／ｍ２以上であることが好ましく、５０ｇ／ｍ２以上であることがより好ましく、そして、２００ｇ／ｍ２以下であることが好ましく、１５０ｇ／ｍ２以下であることがより好ましい。
【００７４】
硬質表面用洗浄剤組成物又は洗浄液を含浸させた清掃用物品使用時に、別途本発明の硬質表面用洗浄剤組成物又は洗浄液を、被清掃物又は前記清掃用物品に、噴霧しながら使用してもよい。当該使用方法によって、より広い面積を清掃することができる。
【００７５】
本発明は、本発明の硬質表面用洗浄剤組成物をスプレー容器に充填してなる硬質表面用洗浄剤物品に関する。
スプレー式容器としては、トリガー式スプレーヤーが装着されたスプレー容器（トリガー式スプレー容器という）が挙げられる。トリガー式スプレー容器としては、本発明の硬質表面用洗浄剤組成物を収容する容器本体と、容器本体の口部に装着されたトリガー式液体噴出器とを具備するものが挙げられ、更には、容器本体の口部に前記組成物を噴出するトリガー式スプレーヤーが装着され、該トリガー式スプレーヤーの内部に垂直管路及び水平管路が形成され、該垂直管路内に該垂直管路と上記水平管路との連通を遮断するバルブが配設されたスプレー容器（以下、スプレー容器（Ｉ）という）が挙げられる。スプレー容器（Ｉ）における上記水平管路の容積は０．１〜０．２８ｃｍ３が好ましく、上記垂直管路の上記バルブ下の容積は０．０６〜０．１９ｃｍ３が好ましい。スプレー容器（Ｉ）は、水平管路の下方位置にシリンダーを備え、また、水平管路の先端部にスピンエレメントが装着され、さらに、このスピンエレメントの先端部にノズル孔を有するノズル部が嵌着固定されている。スプレー容器（Ｉ）は、トリガーを引いて、シリンダー内の空気を外に排出し、トリガーを戻した際に容器本体の本発明の硬質表面用洗浄剤組成物に浸した垂直管路を通じて前記組成物を吸い上げ、上記シリンダー内に液体を満たし、再びトリガーを引くことにより、該シリンダー内の液体を押し出して垂直管路に導き、さらに水平管路、スピンエレメントを通じて液体の流れにスピンを与え、最後にノズルから噴出するタイプのものである。トリガー式スプレー容器としては、例えば、「バスマジックリン泡立ちスプレー」（花王（株））のトリガー式スプレー容器を、洗浄、乾燥させたものを使用できる。
本発明の床の洗浄方法では、本発明の硬質表面用洗浄剤組成物をスプレーで散布して床に付着させることが好ましい。スプレーには、本発明の硬質表面用洗浄剤物品を用いることが好ましい。
【００７６】
本発明は、（ａ）エタノールを５質量％以上２３質量％以下、（ｂ）ポリエーテル変性シリコーン、（ｃ）界面活性剤、及び水を含有する組成物の、硬質表面用洗浄剤組成物としての用途に関する。すなわち、本発明の硬質表面用洗浄剤組成物で述べた組成や態様を有する組成物の、硬質表面用洗浄剤組成物としての用途に関する。この用途に用いられる組成物には、本発明の硬質表面用洗浄剤組成物で述べた事項を全て適用することができる。
【００７７】
上述した実施形態に関し、本発明はさらに以下の硬質表面用洗浄剤組成物、硬質表面用洗浄剤物品、及び床の洗浄方法を開示する。
【００７８】
＜１＞
（ａ）エタノール［以下、（ａ）成分という］を５質量％以上２３質量％以下、（ｂ）ポリエーテル変性シリコーン［以下、（ｂ）成分という］、（ｃ）界面活性剤［以下、（ｃ）成分という］、及び水を含有する、硬質表面用洗浄剤組成物。
【００７９】
＜２＞
（ｂ）成分が下記一般式（ｂ１）で表される化合物である、前記＜１＞に記載の硬質表面用洗浄剤組成物。
【００８０】
【化５】
0006777446.tif 000007
【００８１】
〔式中、Ｒ１は同一でも異なってもよく、それぞれ炭素数１以上４以下のアルキル基を示す。ｐは、０以上１０００以下の数を示し、ｑは１以上１０００以下の数を示す。Ｘ１及びＸ２は同一でも異なってもよく、それぞれヒドロキシ基、炭素数１以上４以下のアルキル基又はアルコキシ基を示す。Ｒ２は水素原子、又は炭素数１以上４以下のアルキル基もしくは炭素数２以上４以下のアシル基を示す。ａは１以上４以下の数、ｂは１以上１００以下の数、ｃは０以上５０以下の数を示す。／は、ｐ、ｑが付された各構成単位及びｂ、ｃが付された構成単位がランダム又はブロックであってもよいことを示す。〕
【００８２】
＜３＞
（ｂ１）で表される化合物のＨＬＢ値が、好ましくは４以上、より好ましくは６以上、更に好ましくは８以上、より更に好ましくは１０．５以上、そして、好ましくは２０以下、より好ましくは１８以下、更に好ましくは１６以下、より更に好ましくは１５以下、より更に好ましくは１４．５以下である、前記＜２＞に記載の硬質表面用洗浄剤組成物。
【００８３】
＜４＞
（ｂ）成分の動粘度（ｍｍ２／ｓ）が、好ましくは１以上、より好ましくは５以上、更に好ましくは１０以上、そして、好ましくは１５００以下、より好ましくは１０００以下、更に好ましくは５００以下、より更に好ましくは１００以下である、前記＜１＞〜＜３＞の何れかに記載の硬質表面用洗浄剤組成物。
【００８４】
＜５＞
（ｃ）成分が、非イオン界面活性剤、陰イオン界面活性剤、両性界面活性剤、及び陽イオン界面活性剤から選ばれる１種以上の界面活性剤である、好ましくは非イオン界面活性剤、陰イオン界面活性剤、及び両性界面活性剤から選ばれる１種以上の界面活性剤である、前記＜１＞〜＜４＞の何れかに記載の硬質表面用洗浄剤組成物。
【００８５】
＜６＞
（ｃ）成分として、非イオン界面活性剤、陰イオン界面活性剤、及び両性界面活性剤から選ばれる１種以上の界面活性剤を含有する、好ましくは非イオン界面活性剤から選ばれる１種以上を含有する、より好ましくはグリコシド型非イオン界面活性剤を含有する、前記＜１＞〜＜５＞の何れかに記載の硬質表面用洗浄剤組成物。
【００８６】
＜７＞
非イオン界面活性剤が、（１）ポリオキシアルキレンモノアルキル又はアルケニルエーテル、（２）グリコシド型非イオン界面活性剤、（３）脂肪酸アルカノールアミド、（４）ソルビタン系非イオン界面活性剤、（５）アルキルモノグリセリルエーテル、（６）脂肪酸グリセリンモノエステル、（７）蔗糖脂肪酸エステル、及び（８）アミンオキサイドから選ばれる１種以上の非イオン界面活性剤である、好ましくは（１）ポリオキシアルキレンモノアルキル又はアルケニルエーテル、（２）グリコシド型非イオン界面活性剤、及び（８）アミンオキサイドから選ばれる１種以上の非イオン界面活性剤である、より好ましくは（１）ポリオキシアルキレンモノアルキル又はアルケニルエーテル、及び（２）グリコシド型非イオン界面活性剤から選ばれる１種以上の非イオン界面活性剤である、更に好ましくは（２）グリコシド型非イオン界面活性剤である、前記＜５＞又は＜６＞に記載の硬質表面用洗浄剤組成物。
【００８７】
＜８＞
ポリオキシアルキレンモノアルキル又はアルケニルエーテルのアルキル基又はアルケニル基の炭素数が、６以上、好ましくは８以上、より好ましくは１０以上、更に好ましくは１２以上、そして、２２以下、好ましくは１８以下、より好ましくは１６以下、更に好ましくは１４以下である、前記＜７＞に記載の硬質表面用洗浄剤組成物。
【００８８】
＜９＞
ポリオキシアルキレンモノアルキル又はアルケニルエーテルのアルキレンオキサイドの平均付加モル数が、０超、好ましくは１以上、より好ましくは３以上、更に好ましくは５以上、そして、５０以下、好ましくは３０以下、より好ましくは２０以下、更に好ましくは１５以下である、前記＜７＞又は＜８＞に記載の硬質表面用洗浄剤組成物。
【００８９】
＜１０＞
ポリオキシアルキレンモノアルキル又はアルケニルエーテルが、下記一般式（ｃ１）で表される非イオン界面活性剤である、前記＜７＞に記載の硬質表面用洗浄剤組成物。
Ｒ１１Ｏ［（Ｃ２Ｈ４Ｏ）ｌ／（Ｃ３Ｈ６Ｏ）ｍ］Ｈ      （ｃ１）
〔式中、Ｒ１１は炭素数６以上２２以下の炭化水素基を示す。ｌ、ｍは平均付加モル数を示し、ｌは０以上３０以下の数を示し、ｍは０以上３０以下の数を示し、ｌとｍが同時に０になることはない。”／”はオキシエチレン基及びオキシプロピレン基が、順序に関係なく、ランダム又はブロックのいずれに付加したものであってもよいことを示す。〕
【００９０】
＜１１＞
ポリオキシアルキレンモノアルキル又はアルケニルエーテルのＨＬＢ値が、５以上、好ましくは７以上、より好ましくは１０以上、そして、２０以下、好ましくは１８以下、より好ましくは１６以下である、前記＜７＞〜＜１０＞の何れかに記載の硬質表面用洗浄剤組成物。
【００９１】
＜１２＞
グリコシド型非イオン界面活性剤が、下記の一般式（ｃ２）で表される非イオン界面活性剤である、前記＜７＞に記載の硬質表面用洗浄剤組成物。
Ｒ２１（ＯＲ２２）ｘＧｙ        （ｃ２）
〔式中、Ｒ２１は、直鎖又は分岐鎖の炭素数６以上１８以下のアルキル基、アルケニル基又はアルキルフェニル基、好ましくはアルキル基を示し、Ｒ２２は炭素数２以上４以下のアルキレン基を示し、Ｇは炭素数５又は６の還元糖に由来する残基を示す。ｘは平均付加モル数を示し、０以上５以下の数である。ｙはその平均値が１以上５以下となる数を示す。〕
【００９２】
＜１３＞
陰イオン界面活性剤が、ポリオキシアルキレン基を有する陰イオン界面活性剤である、好ましくはポリオキシアルキレンアルキルエーテル硫酸塩、ポリオキシアルキレンアルケニルエーテル硫酸塩、ポリオキシアルキレンアルキルアリールエーテル硫酸塩、ポリオキシアルキレンアルケニルアリールエーテル硫酸塩、ポリオキシアルキレンアルキルエーテルカルボン酸塩、及びポリオキシアルキレンアルケニルエーテルカルボン酸塩から選ばれる１種以上である、より好ましくはポリオキシアルキレンアルキルエーテル硫酸塩、ポリオキシアルキレンアルケニルエーテル硫酸塩、及びポリオキシアルキレンアルキルエーテルカルボン酸塩から選ばれる１種以上である、更に好ましくはポリオキシアルキレンアルキルエーテル硫酸塩である、又はアルキル硫酸塩、アルキル基の炭素数が１０以上１４以下のアルキル硫酸塩である、前記＜５＞又は＜６＞に記載の硬質表面用洗浄剤組成物。
【００９３】
＜１４＞
両性界面活性剤が、アルキルアミドプロピル−Ｎ，Ｎ−ジメチル酢酸ベタイン、アルキルアミドプロピル−Ｎ，Ｎ−ジメチル−２−ヒドロキシプロピルスルホベタイン、及びアルキルアミドプロピル−Ｎ，Ｎ−ジメチル−プロピルスルホベタインから選ばれる１種以上である、好ましくはラウリン酸アミドプロピル−Ｎ，Ｎ−ジメチル酢酸ベタイン、ヒドロキシラウリルスルホベタイン、及びラウリン酸アミドプロピル−Ｎ，Ｎ−ジメチル−２−ヒドロキシプロピルベタインから選ばれる１種以上である、より好ましくはヒドロキシラウリルスルホベタインである、前記＜５＞又は＜６＞に記載の硬質表面用洗浄剤組成物。
【００９４】
＜１５＞
（ａ）成分を、６質量％以上、好ましくは８質量％以上、より好ましくは１０質量％以上、そして、２０質量％以下、好ましくは１８質量％以下、より好ましくは１５質量％以下含有する、前記＜１＞〜＜１４＞の何れかに記載の硬質表面用洗浄剤組成物。
【００９５】
＜１６＞
（ｂ）成分を、好ましくは０．０００８質量％以上、より好ましくは０．００１質量％以上、更に好ましくは０．００３質量％以上、そして、好ましくは３質量％以下、より好ましくは０．８質量％以下、更に好ましくは０．５質量％以下、より更に好ましくは０．１質量％以下、より好ましくは０．０８質量％以下、更に好ましくは０．０５質量％以下、より更に好ましくは０．０３質量％以下含有する、前記＜１＞〜＜１５＞の何れかに記載の硬質表面用洗浄剤組成物。
【００９６】
＜１７＞
（ｃ）成分を、０．００５質量％以上、好ましくは０．００８質量％以上、より好ましくは０．０１質量％以上、更に好ましくは０．０５質量％以上、そして、５質量％以下、好ましくは３質量％以下、より好ましくは１質量％以下、更に好ましくは０．８質量％以下、より更に好ましくは０．５質量％以下含有する、前記＜１＞〜＜１６＞の何れかに記載の硬質表面用洗浄剤組成物。
【００９７】
＜１８＞
（ａ）成分と（ｂ）成分の質量比（ａ）／（ｂ）が、２０以上、好ましくは５０以上、より好ましくは１００以上、更に好ましくは３００以上、より更に好ましくは５００以上、より更に好ましくは８００以上、そして、２００００以下、好ましくは１５０００以下、より好ましくは１００００以下、更に好ましくは６０００以下である、前記＜１＞〜＜１７＞の何れかに記載の硬質表面用洗浄剤組成物。
【００９８】
＜１９＞
（ｂ）成分と（ｃ）成分の質量比（ｂ）／（ｃ）が、０．００１以上、好ましくは０．００３以上、より好ましくは０．００５以上、更に好ましくは０．０１以上、より更に好ましくは０．０３以上、そして、１０以下、好ましくは５以下、より好ましくは１以下、更に好ましくは０．５以下である、前記＜１＞〜＜１８＞の何れかに記載の硬質表面用洗浄剤組成物。
【００９９】
＜２０＞
（ｃ）成分として非イオン界面活性剤を含有し、（ｂ）成分と非イオン界面活性剤の質量比（ｂ）／（非イオン界面活性剤）が、０．００１以上、好ましくは０．００３以上、より好ましくは０．００５以上、更に好ましくは０．０１以上、より更に好ましくは０．０３以上、そして、１０以下、好ましくは５以下、より好ましくは１以下、更に好ましくは０．５以下である、前記＜１＞〜＜１８＞の何れかに記載の硬質表面用洗浄剤組成物。
【０１００】
＜２１＞
（ｃ）成分としてグリコシド型非イオン界面活性剤を含有し、（ｂ）成分とグリコシド型非イオン界面活性剤の質量比（ｂ）／（グリコシド型非イオン界面活性剤）が、０．００１以上、好ましくは０．００３以上、より好ましくは０．００５以上、更に好ましくは０．０１以上、より更に好ましくは０．０３以上、そして、１０以下、好ましくは５以下、より好ましくは１以下、更に好ましくは０．５以下である、前記＜１＞〜＜１８＞の何れかに記載の硬質表面用洗浄剤組成物。
【０１０１】
＜２２＞
水を、７５質量％以上、好ましくは８０質量％以上、より好ましくは８２質量％以上、更に好ましくは８４質量％以上、そして、９４．８質量％以下、好ましくは９４質量％以下、より好ましくは９２質量％以下、更に好ましくは９０質量％以下含有する、前記＜１＞〜＜２１＞の何れかに記載の硬質表面用洗浄剤組成物。
【０１０２】
＜２３＞
ｐＨが、２０℃で、５以上、好ましくは６以上、より好ましくは６．５以上、そして、８以下、好ましくは７．５以下である、前記＜１＞〜＜２２＞の何れかに記載の硬質表面用洗浄剤組成物。
【０１０３】
＜２４＞
拭き取り洗浄用である、前記＜１＞〜＜２３＞の何れかに記載の硬質表面用洗浄剤組成物。
【０１０４】
＜２５＞
硬質表面が、セラミックス、プラスチック、木、石、及び金属から選ばれる１種以上の材料から構成される硬質表面である、前記＜１＞〜＜２４＞の何れかに記載の硬質表面用洗浄剤組成物。
【０１０５】
＜２６＞
前記＜１＞〜＜２５＞の何れかに記載の硬質表面用洗浄剤組成物を床に付着させた後、該組成物を拭き取る、床の洗浄方法。
【０１０６】
＜２７＞
硬質表面用洗浄剤組成物を床に付着させた後、布巾、雑巾、不織布、モップ、又は紙を用いて、該組成物を拭き取る、前記＜２６＞に記載の床の洗浄方法。
【０１０７】
＜２８＞
硬質表面用洗浄剤組成物を、水で１０倍以上、好ましくは５０倍以上、そして、２００倍以下、好ましくは１５０倍以下に希釈した洗浄液として床に付着させる、前記＜２６＞又は＜２７＞に記載の床の洗浄方法。
【０１０８】
＜２９＞
硬質表面用洗浄剤組成物を、床面積１ｍ２あたり、０．５ｇ以上、好ましくは１ｇ以上、そして、５０ｇ以下、好ましくは２０ｇ以下で床に付着させる、前記＜２６＞〜＜２８＞の何れかに記載の床の洗浄方法。
【０１０９】
＜３０＞
硬質表面用洗浄剤組成物を、噴霧して床に付着させる、前記＜２６＞〜＜２９＞の何れかに記載の床の洗浄方法。
【０１１０】
＜３１＞
硬質表面用洗浄剤組成物を床に付着させた後、６０秒以下、好ましくは３０秒以下、放置した後、該組成物を拭き取る、前記＜２６＞〜＜３０＞の何れかに記載の床の洗浄方法。
【０１１１】
＜３２＞
硬質表面用洗浄剤組成物をスプレーで散布して床に付着させる、前記＜２６＞〜＜３１＞の何れかに記載の床の洗浄方法。
【０１１２】
＜３３＞
前記＜１＞〜＜２５＞の何れかに記載の硬質表面用洗浄剤組成物をスプレー容器に充填してなる硬質表面用洗浄剤物品。
【０１１３】
＜３４＞
スプレー式容器が、トリガー式スプレーヤーが装着されたスプレー容器である、前記＜３３＞に記載の硬質表面用洗浄剤物品。
【０１１４】
＜３５＞
前記＜１＞〜＜２５＞の何れかに記載の硬質表面用洗浄剤組成物を用いる、セラミックタイルの床の拭き筋低減方法。
【０１１５】
＜３６＞
洗浄剤組成物を用いてセラミックタイルの床を洗浄した後、前記洗浄剤組成物を拭き取ることで生じる拭き筋を低減する方法であって、前記洗浄剤組成物として、前記＜１＞〜＜２５＞の何れかに記載の硬質表面用洗浄剤組成物を用いる、セラミックタイルの床の、洗浄後の拭き筋低減方法。
【０１１６】
＜３７＞
硬質表面用洗浄剤組成物を床に付着させた後、布巾、雑巾、不織布、モップ、又は紙を用いて、該組成物を拭き取る、前記＜３５＞又は＜３６＞に記載の拭き筋低減方法。
【０１１７】
＜３８＞
硬質表面用洗浄剤組成物を、水で１０倍以上、好ましくは５０倍以上、そして、２００倍以下、好ましくは１５０倍以下に希釈した洗浄液として床に付着させる、前記＜３５＞〜＜３７＞の何れかに記載の拭き筋低減方法。
【０１１８】
＜３９＞
硬質表面用洗浄剤組成物を、床面積１ｍ２あたり、０．５ｇ以上、好ましくは１ｇ以上、そして、５０ｇ以下、好ましくは２０ｇ以下で床に付着させる、前記＜３５＞〜＜３８＞の何れかに記載の拭き筋低減方法。
【０１１９】
＜４０＞
硬質表面用洗浄剤組成物を、噴霧してセラミックタイルの床に付着させる、前記＜３５＞〜＜３９＞の何れかに記載の拭き筋低減方法。
【０１２０】
＜４１＞
硬質表面用洗浄剤組成物をセラミックタイルの床に付着させた後、６０秒以下、好ましくは３０秒以下、放置した後、該組成物を拭き取る、前記＜３５＞〜＜４０＞の何れかに記載の拭き筋低減方法。
【０１２１】
＜４２＞
硬質表面用洗浄剤組成物をスプレーで散布してセラミックタイルの床に付着させる、前記＜３５＞〜＜４１＞の何れかに記載の拭き筋低減方法。
【０１２２】
＜４３＞
請求項１〜２３の何れか１項記載の組成物の、硬質表面用洗浄剤組成物としての用途。
【０１２３】
＜４３＞
（ａ）エタノールを５質量％以上２３質量％以下、（ｂ）ポリエーテル変性シリコーン、（ｃ）界面活性剤、及び水を含有する組成物の、硬質表面用洗浄剤組成物としての用途。
【０１２４】
＜４４＞
前記＜１＞〜＜２５＞の何れかに記載の硬質表面用洗浄剤組成物をスプレー容器に充填してなる物品の、硬質表面用洗浄剤物品としての用途。
【０１２５】
＜４５＞
スプレー式容器が、トリガー式スプレーヤーが装着されたスプレー容器である、前記＜４４＞に記載の用途。
【実施例】
【０１２６】
以下に本発明の実施例を示す。実施例は本発明の例示について述べるものであり、本発明を限定するためではない。
【０１２７】
実施例１〜１８、比較例１〜４
表１に示す硬質表面用洗浄剤組成物を調製し、以下の項目について評価を行った。結果を表１に示す。なお、組成物のｐＨ（２０℃）の調整は、水酸化ナトリウムと塩酸を用いて行った。
【０１２８】
＜評価方法＞
（１）洗浄力
ポーセリンタイル（メーカー：Foshan XiangYu Ceramic Co., Ltd.、品名：POLISHED PORCELAIN TILE、Grade：Premium、色：白、寸法１００ｍｍ×１００ｍｍ）に、０．０５質量％の濃度となるようにスダンIII（和光純薬工業株式会社製、１級）を添加して着色したオレイン酸（和光純薬工業株式会社製、１級）を、モデル汚れとして０．５ｇ滴下（約１ｃｍ2）した。モデル汚れの周囲全体に均一に接触するように表１に示す硬質表面用洗浄剤組成物を、２ｇ付着させた。
ペーパーワイパー（大王製紙株式会社製プロワイプ、ソフトワイパーＳ２００、寸法；１９５ｍｍ×１２５ｍｍ）を４回折り畳み（寸法；約２４ｍｍ×６３ｍｍ）、これを、モデル汚れの中心に接触させ、成人男性の中指と人差し指で、折り畳んだペーパーワイパーを押さえながら、１±０．１ｋｇ加重下でモデル汚れを中心として直径約５０ｍｍの円を描くように１０回清拭した。清拭した後、乾燥後の汚れの残留具合を目視にて観察し、下記判定基準にて判定した。
５点：ほとんど汚れが取れている
４点：極わずかに着色部分が残るが全く気にならないレベル
３点：わずかに着色部分が残るが気にならないレベル
２点：着色部分が多く残る
１点：全く汚れが取れていない
【０１２９】
（２）洗浄面の仕上がり性（拭き筋の有無）
ペーパーワイパー（大王製紙株式会社製プロワイプ  ソフトタオル４Ｐ、寸法；４０５ｍｍ×３１５ｍｍ）を、３０ｍｍ×１００ｍｍのサイズに切り取り、紙片とした。
前記紙片を、ポーセリンタイル（メーカー：Foshan XiangYu Ceramic Co., Ltd.、品名：POLISHED PORCELAIN TILE、Grade：Premium、色：黒、寸法１００ｍｍ×１００ｍｍ）の上に、該タイルの一辺と前記紙片の長辺とが合致するように載せた。
表１に示す硬質表面用洗浄剤組成物を前記紙片に１ｇ含浸させ、前記紙片と同じ大きさ（３０ｍｍ×１００ｍｍ）の１００ｇの荷重タイルを載せて、この荷重タイルを、ポーセリンタイルの対向する一辺に向けて、前記紙片と共に引っ張ることにより、３秒間で移動させた。その後、荷重タイルと前記紙片を取り除き、乾燥後のタイル表面の仕上がり性を目視にて観察し、下記判定基準にて判定した。
５点：拭き筋がほとんどないレベル
４点：極わずかに拭き筋が残るが全く気にならないレベル
３点：わずかに拭き筋が残るが気にならないレベル
２点：拭き筋が多く残るレベル
１点：全面に拭き筋が残るレベル
【０１３０】
【表１】
0006777446.tif 000008
【０１３１】
表中の成分は以下のものである。
（ａ）成分
・エタノール：和光純薬工業株式会社製、１級
【０１３２】
（ｂ）成分
・ポリエーテル変性シリコーン１：ＰＥＧ６メチルエーテルジメチコン〔一般式（ｂ１）中、Ｒ２がメチル基、ｂが６であるポリエーテル変性シリコーン〕、信越化学工業株式会社製、ＫＦ６１８、ＨＬＢ１１（カタログ値）、動粘度２０ｍｍ２／ｓ
・ポリエーテル変性シリコーン２：ＰＥＧ１１メチルエーテルジメチコン〔一般式（ｂ１）中、Ｒ２がメチル基、ｂが１１であるポリエーテル変性シリコーン〕、信越化学工業株式会社製、ＫＦ６０１１、ＨＬＢ１２（カタログ値）、動粘度１３０ｍｍ２／ｓ
・ポリエーテル変性シリコーン３：ＰＥＧ９メチルエーテルジメチコン〔一般式（ｂ１）中、Ｒ２がメチル基、ｂが９であるポリエーテル変性シリコーン〕、信越化学工業株式会社製、ＫＦ６０１６、ＨＬＢ４．５（カタログ値）、動粘度１５０ｍｍ２／ｓ
・ポリエーテル変性シリコーン４：ＰＥＧ／ＰＰＧ−２７／９ブチルエーテルジメチコン〔一般式（ｂ１）中、Ｒ２がブチル基、ｂが２７、ｃが９であるポリエーテル変性シリコーン〕、信越化学工業株式会社製、ＫＦ６１５Ａ、ＨＬＢ１０（カタログ値）、動粘度９２０ｍｍ２／ｓ
・ポリエーテル変性シリコーン５：ＰＥＧ／ＰＰＧ−２０／２２ブチルエーテルジメチコン〔一般式（ｂ１）中、Ｒ２がブチル基、ｂが２０、ｃが２２であるポリエーテル変性シリコーン〕、信越化学工業株式会社製、ＫＦ６０１２、ＨＬＢ７（カタログ値）、動粘度１５００ｍｍ２／ｓ
・ポリエーテル変性シリコーン６：ＰＥＧ１０ジメチコン〔一般式（ｂ１）中、Ｒ２が水素原子、ｂが１０であるポリエーテル変性シリコーン〕、信越化学工業株式会社製、ＫＦ６０４３、ＨＬＢ１５（カタログ値）、動粘度４００ｍｍ２／ｓ
なお、（ｂ）成分の粘度は、２５℃においてウベローデ型粘度計（柴田科学株式会社製）により測定した動粘度である。
【０１３３】
（ｂ’）成分（（ｂ）成分の比較成分）
・環状シリコーン：シクロペンタシロキサン、信越化学工業株式会社製、ＫＦ９９５、ポリエーテル変性されていないシリコーン、動粘度４ｍｍ２／ｓ
・アニオン変性シリコーン：カルボキシ基含有変性シリコーン（信越化学工業株式会社製、Ｘ−２２−３７０１Ｅ、動粘度２，０００ｍｍ２／ｓ、官能基当量４，０００ｇ／ｍｏｌ）
【０１３４】
（ｃ）成分
・非イオン界面活性剤１：アルキルポリグリコシド〔一般式（ｃ２）中、Ｒ２１が６〜１６の直鎖のアルキル基、ｘが０、Ｇがグルコースに由来する残基、ｙが１．１である非イオン界面活性剤〕、ＢＡＳＦ社製、Ｐｌａｎｔａｃａｒｅ  ２０００ＵＰ
・非イオン界面活性剤２：ポリオキシアルキレンアルキルエーテル〔一般式（ｃ１）中、Ｒ１１が炭素数１２〜１４の直鎖１級アルキル基、ｌが１４、ｍが０．５である、以下の構造を有する非イオン界面活性剤〕、ＨＬＢ１５．３
Ｒ１１Ｏ［（Ｃ２Ｈ４Ｏ）７（Ｃ３Ｈ６Ｏ）０．５（Ｃ２Ｈ４Ｏ）７］Ｈ
・非イオン界面活性剤３：ポリオキシエチレンアルキルエーテル〔一般式（ｃ１）中、Ｒ１１が炭素数１２〜１４の分岐鎖２級アルキル基、ｌが７、ｍが０の非イオン界面活性剤〕、株式会社日本触媒製、ソフタノール７０Ｈ、ＨＬＢ１２．１
・両性界面活性剤：ラウリン酸アミドプロピルベタイン、花王株式会社製、アンヒトール２０ＡＢ
・陰イオン界面活性剤：ドデシル硫酸ナトリウム、和光純薬工業株式会社製、和光１級
【０１３５】
（考察）
表１から、本発明の実施例１〜１８は、比較例１〜４と比較して、洗浄力と仕上り性とを両立できることがわかる。
実施例１、４〜８と比較例１、４とを比較すると、シリコーン化合物として、（ｂ）成分のポリエーテル変性シリコーンを用いた実施例１、４〜８が、仕上がり性により優れることがわかる。
実施例１、４〜８を比較すると、ポリエーテル変性シリコーンとして、（ｂ）成分としてＨＬＢ１１、動粘度２０ｍｍ２／ｓのポリエーテル変性シリコーン１を用いた実施例１が、仕上がり性により優れることがわかる。
実施例１〜３、１７、１８を比較すると、（ｃ）成分としてグリコシド型非イオン界面活性剤である非イオン界面活性剤１を用いた実施例１が、仕上がり性により優れることがわかる。
実施例１、９、１０、比較例２、３を比較すると、（ａ）成分の含有量が、１２質量％である実施例１が、仕上がり性により優れることがわかる。
実施例１、１１、１２を比較すると、（ｂ）成分の含有量が０．０１質量％の実施例１と０．００３質量％の実施例１１が、仕上がり性により優れることがわかる。
実施例１、１３〜１６を比較すると、（ｃ）成分の含有量が、０．１質量％である実施例１が、仕上がり性により優れていることがわかる。
（ａ）成分と（ｃ）成分の含有量が同じで（ａ）／（ｂ）質量比が異なる、実施例１、１１、１２を比較すると、（ａ）／（ｂ）の質量比が１２００である実施例１と４０００である実施例１１が、洗浄力と仕上がり性に優れることがわかる。
（ａ）成分と（ｂ）成分の含有量が同じで（ｂ）／（ｃ）質量比が異なる、実施例１、１３〜１６を比較すると、（ｂ）／（ｃ）の質量比が０．１である実施例１が、洗浄力及び仕上がり性に優れることがわかる。
【０１３６】
実施例１９
一般家庭（４人家族）のリビングルームの床に、ポーセリンタイル（メーカー：Foshan XiangYu Ceramic Co., Ltd.、品名：POLISHED PORCELAIN TILE、Grade：Premium、色：黒、寸法６０ｍｍ×６０ｍｍ）を３日間設置し、家族全員裸足でその上を１日１０回３日間走行することで、汚染したタイルを２枚作成した。
表１に示す実施例１の硬質表面用洗浄剤組成物を、それぞれ「バスマジックリン泡立ちスプレー」（花王株式会社製）のトリガー式スプレー容器に充填した。噴射口を「広い泡」とし、タイル１枚当たり５回スプレー（噴霧量４．５ｇ）し、直後にモップ（装着したモップ：月星モップ替糸、規格２４ｃｍ＃１９０、MIYAKO CO.,LTD.製）で６往復清掃し、乾燥後の仕上がり性（拭き筋の有無）を前記判定基準にて判定した。結果は次の通りであった。
・実施例１９（実施例１の組成物）：５点